(57)【要約】【課題】グループ通信において、通信不能状態になったメンバーがグループ通信に復帰する場合に、通話内容を他のメンバーに聞かないで済むようにすること。【解決手段】あらかじめ、通話中断制御部３１０に、通信不能状態の時間Ｔに対する閾値Ｔ１とＴ２（Ｔ１＜Ｔ２）を設定する。あるメンバーが通信不能状態になったとき、前記メンバーの通話不能な時間ＴがＴ≦Ｔ１の間は、通話中断制御部３１０は、残りのメンバーの通話内容を記憶部３１２に記憶させる。Ｔ１＜Ｔ＜Ｔ２の間は、通話中断制御部３１０は、記憶部３１２による通話内容の記憶を停止させるとともに、残りのメンバーの通話を一時中断させる。Ｔ≧Ｔ２になったときは、通話中断制御部３１０は、一時中断していた残りのメンバーの通話を再開させるとともに、記憶部３１２に通話内容を再度記憶させる。【選択図】図３
2007110431.tif 000002
【特許請求の範囲】
【請求項１】
複数の通信端末装置と、前記複数の通信端末装置をグループとして制御することによってグループ通信サービスを提供するグループ通信制御装置と、を有するグループ通信システムであって、
前記グループ通信制御装置は、
グループ内の前記通信端末装置のそれぞれの通信状態を確認するプレゼンス管理手段と、
前記プレゼンス管理手段がグループ内の前記通信端末装置のいずれかが通信不能状態におかれたことを確認したときに当該通信端末装置の通信状態に応じてグループ通信を中断および再開する通話中断制御手段と、
前記プレゼンス管理手段がグループ内の前記通信端末装置のいずれかが通信不能状態におかれたことを確認したときに当該通信端末装置の通信状態に応じてグループ通信の通話内容を記憶する記憶手段と、を有し、
前記通話中断制御手段は、
グループ内の前記通信端末装置のいずれかが通信不能状態におかれたことを前記プレゼンス管理手段が確認してから第一の所定時間を経過したときにグループ通信を一時中断する通話中断手段と、
前記通話中断手段がグループ通信を一時中断した後通信不能状態の前記通信端末装置が通信可能状態に復帰したときに、または、グループ内の前記通信端末装置のいずれかが通信不能状態におかれたことを前記プレゼンス管理手段が確認してから第二の所定時間を経過しても前記通信不能状態の通信端末装置が通信不能状態であるときに、中断しているグループ通信を再開する通話再開手段と、を有し、
前記記憶手段は、
グループ内の前記通信端末装置のいずれかが通信不能状態におかれたことを前記プレゼンス管理手段が確認したときから前記通話中断手段がグループ通信を一時中断するまでの間におけるグループ通信の通話内容を記憶する第一の記憶手段と、
前記通信不能状態の通信端末装置が通信可能状態に復帰しないまま前記通話再開手段がグループ通信を再開したときにグループ通信再開後から前記通信不能状態の通信端末装置がグループ通信に復帰するまでの間におけるグループ通信の通話内容を記憶する第二の記憶手段と、を有する、
グループ通信システム。
【請求項２】
前記プレゼンス管理手段は、
グループ内の前記通信端末装置のそれぞれの通信状態の確認結果をグループ内の前記通信端末装置に通知する通知手段を有し、
前記通信端末装置は、
グループ通信中に当該通信端末装置の通信状態を保留状態にするための保留手段と、
当該通信端末装置が保留状態から復帰するための保留復帰条件を設定する保留復帰条件設定手段と、
前記グループ通信制御装置の前記プレゼンス管理手段から通知されるグループ内の前記通信端末装置の通信状態が前記保留復帰条件設定手段で設定した前記保留復帰条件に一致するかどうかを判定し保留状態の当該通信端末装置が保留状態から復帰するかどうかを決定する保留復帰判定手段と、
前記保留復帰判定手段が当該保留状態の通信端末装置が保留状態から復帰することを決定した場合に保留状態からの復帰を促す報知手段と、をさらに有する、
請求項１記載のグループ通信システム。
【請求項３】
前記通信端末装置は、
グループ通信中に当該通信端末装置の通信状態を保留状態にするための保留手段と、
当該通信端末装置が保留状態から復帰するための保留復帰条件として所定の時間長を設定する保留復帰条件設定手段と、
保留状態の当該通信端末装置が保留状態になってからの時間が前記保留復帰条件設定手段で前記保留復帰条件として設定された前記時間長に一致するかどうかを判定し当該保留状態の通信端末装置が保留状態から復帰するかどうかを決定する前記保留復帰判定手段と、
前記保留復帰判定手段が当該保留状態の通信端末装置が保留状態から復帰することを決定した場合に保留状態からの復帰を促す報知手段と、
をさらに有する、請求項１記載のグループ通信システム。
【請求項４】
前記通信端末装置は、
グループ通信中に当該通信端末装置の通信状態を保留状態にするための保留手段と、
保留状態の前記通信端末装置がグループ内に存在するかどうかを前記グループ通信制御装置の前記プレゼンス管理手段に確認する保留状態確認手段と、
前記保留状態の通信端末装置がグループ内に存在した場合に前記保留状態の通信端末装置が保留状態から復帰することを促す保留状態復帰要請信号を前記グループ通信制御装置の前記プレゼンス管理手段に送信する保留復帰要請信号送信手段と、
グループ内の保留状態の前記通信端末装置の一覧およびグループ内の一の前記通信端末装置から前記プレゼンス管理手段を経由して届いた前記保留状態復帰要請信号を報知する報知手段と、をさらに有し、
前記プレゼンス管理手段は、
前記通信端末装置から保留状態の前記通信端末装置がグループ内に存在するかどうかを確認されたときにグループ内の前記保留状態の通信端末装置の一覧を通知する保留状態確認応答手段と、
前記一の通信端末装置から届いた前記保留状態復帰要請信号を受け取ったときに前記保留状態の通信端末装置に前記保留状態復帰要請信号を送信する保留復帰要請信号転送手段と、をさらに有する、
請求項１記載のグループ通信システム。
【請求項５】
複数の通信端末装置をグループとして制御することによってグループ通信サービスを提供するグループ通信制御装置であって、
グループ内の前記通信端末装置のそれぞれの通信状態を確認するプレゼンス管理手段と、
前記プレゼンス管理手段がグループ内の前記通信端末装置のいずれかが通信不能状態におかれたことを確認したときに当該通信端末装置の通信状態に応じてグループ通信を中断および再開する通話中断制御手段と、
前記プレゼンス管理手段がグループ内の前記通信端末装置のいずれかが通信不能状態におかれたことを確認したときに当該通信端末装置の通信状態に応じてグループ通信の通話内容を記憶する記憶手段と、を有し、
前記通話中断制御手段は、
グループ内の前記通信端末装置のいずれかが通信不能状態におかれたことを前記プレゼンス管理手段が確認してから第一の所定時間を経過したときにグループ通信を一時中断する通話中断手段と、
前記通話中断手段がグループ通信を一時中断した後通信不能状態の前記通信端末装置が通信可能状態に復帰したときに、または、グループ内の前記通信端末装置のいずれかが通信不能状態におかれたことを前記プレゼンス管理手段が確認してから第二の所定時間を経過しても前記通信不能状態の通信端末装置が通信不能状態であるときに、中断しているグループ通信を再開する通話再開手段と、を有し、
前記記憶手段は、
グループ内の前記通信端末装置のいずれかが通信不能状態におかれたことを前記プレゼンス管理手段が確認したときから前記通話中断手段がグループ通信を一時中断するまでの間におけるグループ通信の通話内容を記憶する第一の記憶手段と、
前記通信不能状態の通信端末装置が通信可能状態に復帰しないまま前記通話再開手段がグループ通信を再開したときにグループ通信再開後から前記通信不能状態の通信端末装置がグループ通信に復帰するまでの間におけるグループ通信の通話内容を記憶する第二の記憶手段と、を有する、
グループ通信制御装置。
【請求項６】
前記プレゼンス管理手段は、
グループ内の前記通信端末装置のそれぞれの通信状態の確認結果をグループ内の前記通信端末装置に通知する通知手段、
を有する、請求項５記載のグループ通信制御装置。
【請求項７】
前記プレゼンス管理手段は、
前記通信端末装置から保留状態の前記通信端末装置がグループ内に存在するかどうかを確認されたときにグループ内の前記保留状態の通信端末装置の一覧を通知する保留状態確認応答手段と、
前記一の通信端末装置から届いた前記保留状態復帰要請信号を受け取ったときに前記保留状態の通信端末装置に前記保留状態復帰要請信号を送信する保留復帰要請信号転送手段と、
をさらに有する、請求項５記載のグループ通信制御装置。
【請求項８】
請求項２記載のグループ通信システムにおける通信端末装置。
【請求項９】
請求項３記載のグループ通信システムにおける通信端末装置。
【請求項１０】
請求項４記載のグループ通信システムにおける通信端末装置。
【請求項１１】
複数の通信端末装置と、前記複数の通信端末装置をグループとして制御することによってグループ通信サービスを提供するグループ通信制御装置と、を有するグループ通信システムにおけるグループ通信方法であって、
前記グループ通信制御装置が、グループ内の前記通信端末装置のそれぞれの通信状態を確認するステップと、
前記グループ通信制御装置が、グループ内の前記通信端末装置のいずれかが通信不能状態におかれたことを確認した場合に、当該確認をしたときから第一の所定時間を経過したときにグループ通信を一時中断するステップと、
前記グループ通信制御装置が、グループ通信を一時中断した場合に、当該一時中断後に通信不能状態の前記通信端末装置が通信可能状態に復帰したときに、または、グループ内の前記通信端末装置のいずれかが通信不能状態におかれたことを確認したときから第二の所定時間を経過しても前記通信不能状態の通信端末装置が通信不能状態であるときに、中断しているグループ通信を再開するステップと、を有し、
前記グループ通信制御装置は、グループ内の前記通信端末装置のいずれかが通信不能状態におかれたことを確認した場合に、当該確認をしたときからグループ通信を一時中断するときまでの間におけるグループ通信の通話内容を記憶し、前記通信不能状態の通信端末装置が通信可能状態に復帰しないままグループ通信を再開した場合に、当該再開をしたときから前記通信不能状態の通信端末装置がグループ通信に復帰するときまでの間におけるグループ通信の通話内容を記憶する、
グループ通信方法。
【発明の詳細な説明】
【技術分野】
【０００１】
本発明は、グループ通信システムに関する。
【背景技術】
【０００２】
プッシュ・ツー・トーク（Push-to-Talk：以下「ＰＴＴ」という）は、トランシーバーや業務用無線のように話者がボタンを押すことで音声を交互にやり取りする通話機能である。これを携帯電話で実現するのがプッシュ・ツー・トーク・オーバー・セルラー（Push-to-Talk over Cellular：以下「ＰｏＣ」という）と呼ぶ技術である（特許文献１〜３）。
【０００３】
ＰｏＣは、携帯電話サービス事業者が提供するＩＰベースのパケット通信サービス網を使い、ＩＰネットワーク上での半二重通信を実現している。このとき、１対１のやり取りだけではなく、１対Ｎ（複数）、すなわち、グルーピングした複数の相手（メンバー）とのグループ通信も可能である。この場合、ボタンが押された状態の通信端末装置（携帯電話）からの音声が、残りの全通信端末装置に送信される。なお、データ遅延の問題があるため、同時に２人以上の音声を送ることはできない。
【０００４】
このような１対Ｎのグループ通信サービスを提供する場合、グループ内の特定のメンバーが通信不能状態になったときのことについて考慮する必要がある。１対１のやり取りの場合は、一方のメンバーが通信不能状態になると通話できるメンバーが一人だけになってしまうため、会話がそれ以上進むことはない。しかしながら、１対Ｎのグループ通信の場合、あるメンバーの通信端末装置が通信不能状態になっても通話できるメンバーが二人以上いるため、通話可能なメンバーの間で会話が進められてしまう。特にＰｏＣサービスの場合、メンバーは無線環境でグループ通信を行うため、圏外などの理由によって通話中に通信端末装置が通信不能状態に陥ってしまう可能性がある。
【０００５】
そこで、従来のグループ通信システムでは、通信センターとして機能するグループ通信制御装置が、あるメンバーの通信端末装置が通信不能状態に陥ったことを検出すると、その情報を他のメンバーの通信端末装置に通知し、通話不能であることを表示部に表示したり、スピーカーにおいて音として報知したりするようにしている。また、グループ通信制御装置は、通信不能なメンバーが通信不能状態から復帰するまでの間の通話内容を保存し、通信不能状態の間の通話内容を後から聞くことができるようにしている。
【特許文献１】特表２００３−５２６２７６号公報
【特許文献２】特表２００３−５２６２７５号公報
【特許文献３】特表２００４−５３３１７０号公報
【発明の開示】
【発明が解決しようとする課題】
【０００６】
しかしながら、従来のグループ通信システムでは、通信不能なメンバーがグループ通信に復帰する場合、そのメンバーは通信不能状態の間の通話内容が分からないまま通話に復帰することになるという問題がある。
【０００７】
これは、従来のグループ通信システムでは、あるメンバーの通信端末装置が通信不能状態に陥っても、グループ通信制御装置が各メンバーに報知するのみであり、通信可能なメンバーの間で通話は進められてしまうためである。また、グループ通信制御装置が通話内容を保存しても、通信不能状態であったメンバーは通信不能状態から復帰した直後にそれを聞くことはできない。つまり、通信不能状態であったメンバーが通信不能状態から復帰した直後に保存された通話内容を聞いても、その間に残りのメンバーの間でさらに通話が進んでしまうため、話の流れに追いつくことはできないのである。
【０００８】
このように、通信不能状態になったメンバーがグループ通信に復帰する場合、復帰するまでの間の通話内容が分からないまま通話に復帰することになってしまう。このため、通話内容を聞き返すといった無駄が生じてしまい、利便性の点で一定の限界がある。これは、従量課金制の場合は通話料金が加算されることにつながる。
【０００９】
本発明はかかる点に鑑みてなされたものであり、グループ通信において、通信不能状態になったメンバーがグループ通信に復帰する場合に、利便性の向上を図ることができるグループ通信システムを提供することを目的とする。
【課題を解決するための手段】
【００１０】
本発明のグループ通信システムは、複数の通信端末装置と、前記複数の通信端末装置をグループとして制御することによってグループ通信サービスを提供するグループ通信制御装置と、を有するグループ通信システムであって、前記グループ通信制御装置は、グループ内の前記通信端末装置のそれぞれの通信状態を確認するプレゼンス管理手段と、前記プレゼンス管理手段がグループ内の前記通信端末装置のいずれかが通信不能状態におかれたことを確認したときに当該通信端末装置の通信状態に応じてグループ通信を中断および再開する通話中断制御手段と、前記プレゼンス管理手段がグループ内の前記通信端末装置のいずれかが通信不能状態におかれたことを確認したときに当該通信端末装置の通信状態に応じてグループ通信の通話内容を記憶する記憶手段と、を有し、前記通話中断制御手段は、グループ内の前記通信端末装置のいずれかが通信不能状態におかれたことを前記プレゼンス管理手段が確認してから第一の所定時間を経過したときにグループ通信を一時中断する通話中断手段と、前記通話中断手段がグループ通信を一時中断した後通信不能状態の前記通信端末装置が通信可能状態に復帰したときに、または、グループ内の前記通信端末装置のいずれかが通信不能状態におかれたことを前記プレゼンス管理手段が確認してから第二の所定時間を経過しても前記通信不能状態の通信端末装置が通信不能状態であるときに、中断しているグループ通信を再開する通話再開手段と、を有し、前記記憶手段は、グループ内の前記通信端末装置のいずれかが通信不能状態におかれたことを前記プレゼンス管理手段が確認したときから前記通話中断手段がグループ通信を一時中断するまでの間におけるグループ通信の通話内容を記憶する第一の記憶手段と、前記通信不能状態の通信端末装置が通信可能状態に復帰しないまま前記通話再開手段がグループ通信を再開したときにグループ通信再開後から前記通信不能状態の通信端末装置がグループ通信に復帰するまでの間におけるグループ通信の通信内容を記憶する第二の記憶手段と、を有する構成を採る。
【発明の効果】
【００１１】
本発明によれば、グループ通信において、通信不能状態になったメンバーがグループ通信に復帰する場合に、通話内容を他のメンバーに聞かないで済むようになり、利便性の向上を図ることができる。
【発明を実施するための最良の形態】
【００１２】
以下に、本発明の実施の形態について、図面を参照して詳細に説明する。
【００１３】
（実施の形態１）
実施の形態１は、通信不能状態になったメンバーが発生した場合に、その間の全員の通話を一時中断する機能を有するグループ通信システムである。その結果、圏外などで通信不能状態になったメンバーが復帰する場合でも、その間の通話が進行していないため、通話内容を聞くといった無駄が発生しないシステムを提供することができる。
【００１４】
このとき、通信不能になる理由に応じて通信不能状態の時間は多様である。例えば、乗り物で移動中にトンネルに入ったために通信不能になった場合は、トンネルから出れば通信可能になるので、通信不能な時間は短いことが多い。このため、あるメンバーが通信不能状態になったからといってすぐにグループ通信を一時中断することは、話が途切れることが多くなるので好ましくない。また、通信端末装置の電池が切れた場合は、すぐに充電できる機器がない場合は通信不能状態の時間は非常に長くなると思われる。このため、通信不能状態になったメンバーが復帰するまでいつまでも通話を中断するようにしてしまうと、そのメンバーが復帰できないような場合には通話が再開されることがなくなってしまい、これも好ましくない。
【００１５】
そこで、本発明に係るグループ通信システムでは、通話不能な時間Ｔに二つの閾値Ｔ１とＴ２（Ｔ１＜Ｔ２）を設定する。ある通信端末装置が通信不能状態になってＴ１が経過すると、全員の通話を一時中断し、Ｔ２が経過すると、一時中断していた通話を通信可能なメンバーのみで再開するようにする。Ｔ１とＴ２を適切に設定することで、上記の問題を解決することが期待できる。
【００１６】
以下に、実施の形態１のグループ通信システムの構成と動作について、図面を参照して詳細に説明する。
【００１７】
図１は、実施の形態１におけるグループ通信システム１００の構成を示す模式図である。本発明に係るグループ通信システム１００は、複数の通信端末装置２００ａ、２００ｂ、２００ｃと、グループ通信制御装置３００と、ＩＰネットワーク４００と、を有する。なお、図１では、通信端末装置２００ａ、２００ｂ、２００ｃは３台であるが、２台以上なら何台でもよい。また、各通信端末装置は同一の機能を有するため、説明の便宜上任意の通信端末装置を「２００」で表すことにする。
【００１８】
通信端末装置２００は、メンバーがグループ通信を行うための装置であり、例えば、ＰｏＣ機能を備えた携帯電話が挙げられる。
【００１９】
グループ通信制御装置３００は、発言権の管理など、グループ通信のセンターとして、グループ通信を制御する。
【００２０】
ＩＰネットワーク４００は、通信端末装置２００とグループ通信制御装置３００との間を繋ぐ通信回線網である。ＩＰネットワーク４００は、ＩＰベースのパケット通信サービス網なら特に限定されず、無線でも有線でも構わない。もちろん、一部が無線、残りが有線であっても構わない。また、ＩＰネットワーク４００は、一般的にいう「通信回線」だけでなく、例えば、無線通信の基地局など、通信端末装置２００とグループ通信制御装置３００とを接続するために必要な機器も含む。
【００２１】
図２は、通信端末装置２００の構成を示すブロック図である。
【００２２】
通信端末２００は、接続ボタン２０２と、ＰＴＴボタン２０４と、マイク２０６と、スピーカー２０８と、表示部２１０と、ＰＴＴ処理部２１２と、電話帳２１４と、無線送受信部２１６と、を備えている。
【００２３】
接続ボタン２０２は、ユーザ（メンバー）が押下することにより、通信端末装置２００がグループ通信制御装置３００と通信を開始することを指示する。通信不能な通信端末装置２００がグループ通信に復帰しようとする際にもユーザは接続ボタン２０２を押下する。ユーザが接続ボタン２０２を押下すると、ＰＴＴ処理部２１２は、接続開始信号を無線送受信部２１６を介してグループ通信制御装置３００へ出力する。
【００２４】
ＰＴＴボタン２０４は、ユーザが発言権の取得を希望する際に押下する。ユーザがＰＴＴボタン２０４を押下すると、ＰＴＴ処理部２１２は、発言権取得希望信号を無線送受信部２１６を介してグループ通信制御装置３００へ出力する。ユーザ（メンバー）がＰＴＴボタン２０４を押下しない間は、発言権は他のメンバーに開放される。
【００２５】
マイク２０６は、ユーザの発言を音声データに変換して入力する。入力された音声データは、ＰＴＴ処理部２１２へ出力される。
【００２６】
スピーカー２０８は、ＰＴＴ処理部２１２から渡された音声データを音波に変換して出力する。ここで出力される音波は、例えば、他のメンバーの通話音声や、何らかの情報をユーザに伝える報知音が挙げられる。
【００２７】
表示部２１０は、ＰＴＴ処理部２１２から渡された各種データを出力表示する。ここで表示されるデータは、各メンバーおよびグループ通信全体の通信状態などが挙げられる。
【００２８】
ＰＴＴ処理部２１２は、ＰＴＴ方式による通信に関する処理を行う。すなわち、ＰＴＴ処理部２１２は、無線送受信部２１６によって受信された無線データから、音声データと音声データ以外のデータ（通信状態などのデータ）を取り出し、音声データをスピーカー２０８へ、音声データ以外のデータを表示部２１０へ出力する。また、ＰＴＴ処理部２１２は、送信するための音声データをマイク２０６から取得し、この音声データに対してデジタル化および符号化の処理を行って送信データに変換し、無線送受信部２１６へ出力する。さらに、当該通信端末装置２００の通信状態（例えば、通信可能、通信不能または保留中など）も管理・記憶し、必要に応じて状態データを送信データに変換して、無線送受信部２１６へ出力する。
【００２９】
電話帳２１４は、グループ通信を行う通信相手（メンバー）を特定する。
【００３０】
無線送受信部２１６は、ＩＰネットワーク４００と接続しており、送信データに無線変調などの処理を施し、変調後の送信データをグループ通信制御装置３００へ送信する。また、受信した無線データの復調処理などを行い、受信データをＰＴＴ処理部２１２に渡す。
【００３１】
図３は、グループ通信制御装置３００の構成を示すブロック図である。
【００３２】
グループ通信制御装置３００は、ＳＩＰサーバ３０２と、ＰｏＣ機能部３０４と、グループリスト管理部３０６と、プレゼンス管理部３０８と、通話中断制御部３１０と、記憶部３１２と、を備えている。
【００３３】
ＳＩＰサーバ３０２は、ＩＰネットワーク４００と接続しており、グループ通信を実現するための各通信端末装置２００との間の呼制御プロトコルを制御する。グループ通信制御装置３００の各部が通信端末装置２００と情報をやり取りする場合は、ＳＩＰサーバ３０２を介してやり取りが行われる。
【００３４】
ＰｏＣ機能部３０４は、グループ内のメンバー一人だけに与えられる発言権を管理する。
【００３５】
グループリスト管理部３０６は、グループ通信に参加するメンバー（の通信端末装置２００）を登録および管理する。
【００３６】
プレゼンス管理部３０８は、グループ通信に参加しているメンバー（の通信端末装置２００）の通信状態を管理する。通信不能状態のメンバーを検出した場合は、通話中断制御部３１０へ通信不能状態のメンバーの情報を伝える。
【００３７】
通話中断制御部３１０は、グループ通信に参加している各メンバーの通信状態に応じて、全員の通話の一時中断および通話再開を制御する。また、グループ通信の状態に応じて、記憶部３１２へ通話内容を保存するように指示する。
【００３８】
記憶部３１２は、グループ通信に参加している各メンバーの通信状態に応じて通話内容を保存する。
【００３９】
次に、図４のフローチャートを用いて、通話中断制御部３１０の動作について説明する。
【００４０】
まず、ステップＳ１０００では、プレゼンス管理部３０８が、特定の通信端末装置（例えば、通信端末装置２００ａとする）が通信不能状態になったことを通話中断制御部３１０へ通知する。
【００４１】
そして、ステップＳ１１００では、通信不能状態になったメンバーが後で通話内容を聞くことができるように、通話中断制御部３１０は、通話内容を保存するように記憶部３１２へ指示を送る。
【００４２】
そして、ステップＳ１２００では、通話中断制御部３１０が、プレゼンス管理部３０８が特定の通信端末装置２００ａが通信不能状態になったことを検出してからの経過時間ＴがＴ１以下のときに、通信不能状態になった通信端末装置２００ａが通信可能状態に復帰したかどうか、を判断する。経過時間ＴがＴ１以下のときに、通信端末装置２００ａが通信可能状態に復帰した場合は（Ｓ１２００：ＹＥＳ）、ステップＳ１３００に進む。一方、経過時間ＴがＴ１以下のときに、通信端末装置２００ａが通信不能状態のままである場合は、ＴがＴ１になるまで通信端末装置２００ａが通信可能状態に復帰するのを次のステップに進まずに待つ。経過時間ＴがＴ１を超えても、通信端末装置２００ａが通信不能状態のままである場合は（Ｓ１２００：ＮＯ）、ステップＳ１５００に進む。
【００４３】
ステップＳ１３００では、全ての通信端末装置２００ａ〜２００ｃが通信可能状態で、通話内容を保存する必要性はないので、通話中断制御部３１０は通話内容の保存を停止するように記憶部３１２へ指示を送る。
【００４４】
そして、ステップＳ１４００では、全ての通信端末装置２００ａ〜２００ｃが通信可能状態なので、通話中断制御部３１０は、全ての通信端末装置２００ａ〜２００ｃがグループ通信で通話することができるようにする。
【００４５】
ステップＳ１５００では、経過時間ＴがＴ１を経過しても、通信不能状態になった通信端末装置２００ａが通信不能状態のままなので、これ以上通話内容が進まないように、通話中断制御部３１０は、グループ通信における通話を一時中断させる。
【００４６】
そして、ステップＳ１６００では、通話が中断しており通話内容を保存する必要性はないので、通話中断制御部３１０は、通話内容の保存を停止するように記憶部３１２へ指示を送る。
【００４７】
そして、ステップＳ１７００では、通話中断制御部３１０が、経過時間ＴがＴ２未満のときに、通信不能状態になった通信端末装置２００ａが通信可能状態に復帰したかどうか、を判断する。経過時間ＴがＴ２未満のときに、通信端末装置２００ａが通信可能状態に復帰した場合は（Ｓ１７００：ＹＥＳ）、ステップＳ１４００に進む。一方、経過時間ＴがＴ２未満のときに、通信端末装置２００ａが通信不能状態のままである場合は、ＴがＴ２になるまで通信端末装置２００ａが通信可能状態に復帰するのを次のステップに進まずに待つ。経過時間ＴがＴ２になっても、通信端末装置２００ａが通信不能状態のままである場合は（Ｓ１７００：ＮＯ）、ステップＳ１８００に進む。
【００４８】
ステップＳ１８００では、通信不能状態のままのメンバーが後で通話内容を聞くことができるように、通話中断制御部３１０は、通話内容を保存するように記憶部３１２へ指示を送る。
【００４９】
そして、ステップＳ１９００では、通信不能状態になった通信端末装置２００ａが通信可能状態に復帰する見込みが立たないので、通話中断制御部３１０は、通話可能な通信端末装置２００ｂ、２００ｃがグループ通信で通話することができるようにする。
【００５０】
次に、図５〜図７のシーケンス図を用いて、複数台の通信端末装置２００ａ〜２００ｃのうち、通信端末装置２００ａが通信不能状態になった場合の、実施の形態１におけるグループ通信システムの動作について説明する。なお、通信端末装置２００ａ〜２００ｃは、３台より多くてももちろん構わない。また、複数台が通信不能状態になった場合も、グループ通信システムは基本的に同じように動作する。
【００５１】
図５は、通信端末装置２００ａが通信不能状態になった時間Ｔが、所定の時間Ｔ１以下の場合である（Ｔ≦Ｔ１）。
【００５２】
通信端末装置２００ａ〜２００ｃは、グループ通信制御装置３００のＳＩＰサーバ３０２とグループ通信を行うための呼制御を確立し、他の複数の通信端末装置２００ａ〜２００ｃとグループ通信を行うことができるようにする。グループ通信に参加するメンバーは、通信端末装置２００ａ〜２００ｃの電話帳２１４とグループ通信制御装置３００のグループリスト管理部３０６の両方にあらかじめ登録されていなければならない。図５では、ここまでの動作は図示しておらず、通話が開始した後の状態を図示している。
【００５３】
グループ通信制御装置３００のプレゼンス管理部３０８は、定期的に通信端末装置２００ａ〜２００ｃとの間で情報を交換し、通信端末装置２００ａ〜２００ｃの通信状態を確認する（Ｓ２０００）。
【００５４】
通信可能状態の通信端末装置２００ｂ、２００ｃは、プレゼンス管理部３０８からの通信状態の確認に対して応答し、通信可能状態であることを伝える（Ｓ２１００）。このとき、通信不能状態の通信端末装置２００ａは応答することができないので、プレゼンス管理部３０８は通信端末装置２００ａが通信不能状態であることを検出する。プレゼンス管理部３０８は、通信端末装置２００ａが通信不能状態であることを通話中断制御部３１０に通知する。
【００５５】
通信端末装置２００ａが通信不能状態であることを通知された通話中断制御部３１０は、通信可能な通信端末装置２００ｂ、２００ｃ間の通話内容を記憶部３１２に保存するように指令をする。同時に、プレゼンス管理部３０８は、通信可能な通信端末装置２００ｂ、２００ｃに、通信端末装置２００ａが通信不能状態であることを通知する（Ｓ２２００）。通知を受け取った通信端末装置２００ｂ、２００ｃは、通信端末装置２００ａのメンバーが通信不能状態であることをスピーカー２０８および表示部２１０でユーザ（メンバー）に報知する。
【００５６】
通信端末装置２００ａが通信不能状態であることを、プレゼンス管理部３０８が検出してから所定の時間Ｔ１が経過する前に（Ｔ≦Ｔ１）、通信不能状態の通信端末装置２００ａが通信可能状態に回復した場合、通信端末装置２００ａはグループ通信制御装置３００のＳＩＰサーバ３０２に対して再接続要求を送信する（Ｓ２３００）。再接続要求を受信したＳＩＰサーバ３０２は、通信端末装置２００ａと再び呼制御を確立し、通信端末装置２００ａがグループ通信に参加できるようにする。
【００５７】
通信端末装置２００ａがグループ通信に復帰したら、プレゼンス管理部３０８は、グループの全ての通信端末装置２００ａ〜２００ｃに、通信端末装置２００ａが通話に復帰したことを連絡する（Ｓ２４００）。同時に、記憶部３１２による通話内容の保存を停止する。
【００５８】
以後、通常のグループ通信による通話が、全ての通信端末装置２００ａ〜２００ｃによって行われる。
【００５９】
図６は、通信端末装置２００ａが通信不能状態になった時間Ｔが、第一の所定の時間Ｔ１より長いが、第二の所定の時間Ｔ２より短い場合である（Ｔ１＜Ｔ＜Ｔ２）。この場合、通信端末装置２００ａのメンバーが理解できなくなるくらい通話内容が進んでしまうため、通信端末装置２００ａが通話に復帰するまで通話を一時中断する。なお、プレゼンス管理部３０８が、通信可能な通信端末装置２００ｂ、２００ｃに通信端末装置２００ａが通信不能状態であることを連絡するステップＳ２２００までは、図５と同じなので説明は省略する。
【００６０】
通信端末装置２００ａが通信不能状態であることを、プレゼンス管理部３０８が検出してから所定の時間Ｔ１が経過しても（Ｔ＞Ｔ１）、通信不能状態の通信端末装置２００ａが通信可能状態に回復しなかった場合、通話中断制御部３１０は、通信可能な通信端末装置２００ｂ、２００ｃの通話を一時中断するとともに、プレゼンス管理部３０８が通話を一時中断することを通信端末装置２００ｂ、２００ｃに連絡する（Ｓ２５００）。同時に、記憶部３１２による通話内容の保存を停止する。
【００６１】
通信端末装置２００ａが通信不能状態であることを、プレゼンス管理部３０８が検出してから第二の所定の時間Ｔ２（Ｔ１＜Ｔ２）が経過する前に（Ｔ＜Ｔ２）、通信不能状態の通信端末装置２００ａが通信可能状態に回復した場合、通信端末装置２００ａは、グループ通信制御装置３００のＳＩＰサーバ３０２に対して再接続要求を送信する（Ｓ２６００）。再接続要求を受信したＳＩＰサーバ３０２は、通信端末装置２００ａと再び呼制御を確立し、通信端末装置２００ａがグループ通信に参加できるようにする。
【００６２】
通信端末装置２００ａがグループ通信に復帰したら、通話中断制御部３１０は、グループの全ての通信端末装置２００ａ〜２００ｃの通話を再開させるとともに、プレゼンス管理部３０８は通話が再開したことを全ての通信端末装置２００ａ〜２００ｃに連絡する（Ｓ２７００）。
【００６３】
以後、通常のグループ通信による通話が全ての通信端末装置２００ａ〜２００ｃによって行われる。
【００６４】
図７は、通信端末装置２００ａが通信不能状態になった時間Ｔが、第二の所定の時間Ｔ２以上の場合である（Ｔ≧Ｔ２）。この場合、通信端末装置２００ａが通話に復帰する見込みが立たないことから、通話可能な通信端末装置２００ｂ、２００ｃのみで通話を再開する。なお、通話中断制御部３１０が、通信可能な通信端末装置２００ｂ、２００ｃの通話を一時中止するステップＳ２５００までは、図６と同じなので説明は省略する。
【００６５】
通信端末装置２００ａが通信不能状態であることを、プレゼンス管理部３０８が検出してから第二の所定の時間Ｔ２（Ｔ１＜Ｔ２）が経過しても（Ｔ≧Ｔ２）、通信不能な通信端末装置２００ａが通信可能状態に回復しなかった場合、通話中断制御部３１０は、通話可能な通信端末装置２００ｂ、２００ｃのみで通話を再開させるとともに、プレゼンス管理部３０８は通話が再開したことを通話可能な通信端末装置２００ｂ、２００ｃに連絡する（Ｓ２８００）。同時に、記憶部３１２に通話内容を保存させる。
【００６６】
以後、グループ通信による通話が通信端末装置２００ｂ、２００ｃによって行われる。この後、通信不能な通信端末装置２００ａが通信可能状態に回復した場合、通信端末装置２００ａは記憶部３１２に保存されている通話内容を聞くことができる。
【００６７】
この構成によれば、通信不能状態になったメンバーが発生した場合に、その間の全員の通話を一時中断することができる。その結果、圏外などで通信不能状態に一時的になったメンバーが通話に復帰する場合でもその間の通話が進行していないため、通話内容を聞くといった無駄が発生しないシステムを提供することができる。
【００６８】
（実施の形態２）
実施の形態２は、実施の形態１のグループ通信システムにおいて、さらに、通信端末装置が保留状態に入る際に、保留復帰条件を設定する機能をさらに有する場合である。保留復帰動作は能動的な動作であるため、保留状態のメンバーは、復帰のタイミングがわからず、復帰のタイミングを逸してしまうことがある。しかし、実施の形態２のグループ通信システムであれば、保留状態からの復帰のきっかけを知ることがさらにできるようになる。
【００６９】
図８は、実施の形態２におけるグループ通信システム１００の通信端末装置２００の構成を示すブロック図である。説明の便宜上、図２の実施の形態１における通信端末装置２００の構成を示すブロック図に用いた符号を同様の構成要素に用いている。なお、実施の形態２のグループ通信システム１００において、通信端末装置２００、グループ通信制御装置３００およびＩＰネットワーク４００の関係は図１と同様である。
【００７０】
通信端末２００は、接続ボタン２０２と、ＰＴＴボタン２０４と、マイク２０６と、スピーカー２０８と、表示部２１０と、保留ボタン２１８と、保留復帰条件設定部２２０と、ＰＴＴ処理部２１２と、電話帳２１４と、無線送受信部２１６と、保留復帰制御部２２２と、を備えている。保留ボタン２１８、保留復帰条件設定部２２０および保留復帰制御部２２２以外のものは、実施の形態１と同様のものなのでここでは説明しない。
【００７１】
保留ボタン２１８は、ユーザ（メンバー）が押下することにより、通信端末装置２００が保留状態に入ることをＰＴＴ処理部２１２へ指示する。また、保留状態のときにユーザ（メンバー）が押下することにより、通信端末装置２００が保留状態から復帰することをＰＴＴ処理部２１２へ指示する。
【００７２】
保留復帰条件設定部２２０は、保留状態からの復帰条件をユーザが設定する入力インターフェースである。保留復帰条件は、例えば、発言権の移動などのグループ内の状態変化や、保留時間などの通信端末装置２００の状態変化を挙げることができる。
【００７３】
保留復帰制御部２２２は、ユーザが設定した保留復帰条件に、グループ通信の状態または通信端末装置２００の状態が当てはまるかどうかを判断する。もし、これらの状態が保留復帰条件に当てはまった場合は、保留復帰制御部２２２は、保留状態から復帰することをユーザに促すようにスピーカー２０８および表示部２１０からユーザに報知する。ここで、保留復帰条件としてグループ内の状態変化（例えば、発言権の移動、所定のメンバーの通話時間、所定のメンバーの保留状態への移動）を保留復帰条件設定部２２０で設定した場合は、グループ通信制御装置３００のプレゼンス管理部３０８から通知される通信状態データに基づいて保留状態から復帰するかどうかを判断する。保留復帰条件として通信端末装置内２００の状態変化（例えば、保留時間長など）を保留復帰条件設定部２２０で設定した場合は、ＰＴＴ処理部２１２から通知される通信端末装置内部データに基づいて保留状態から復帰するかどうかを判断する。この場合は次に述べるプレゼンス管理部３０８の追加機能は不要となる。
【００７４】
グループ通信制御装置３００は、図３と同じなので図示しないが、ＳＩＰサーバ３０２と、ＰｏＣ機能部３０４と、グループリスト管理部３０６と、プレゼンス管理部３０８と、通話中断制御部３１０と、記憶部３１２と、を備えている。プレゼンス管理部３０８以外のものは、実施の形態１と同様のものなのでここでは説明しない。
【００７５】
プレゼンス管理部３０８は、実施の形態１のプレゼンス管理部３０８と同様に、グループ通信に参加しているメンバー（の通信端末装置２００）の通信状況を管理する。通信不能状態のメンバーを検出した場合は、通話中断制御部３１０へ通信不能状態のメンバーの情報を伝える。さらに、実施の形態２のプレゼンス管理部３０８は、各メンバー（の通信端末装置２００）の通信状態データを各通信端末装置２００に通知する。
【００７６】
次に、図９のフローチャートを用いて、通信端末装置（ここでは、通信端末装置２００ａを例として挙げる）の保留動作について説明する。なお、実施の形態２のグループ通信システム１００においても、グループ通信を一時中断および再開することができるが、実施の形態１と同様であるためここでは説明せず、実施の形態２における新規追加機能である、保留動作および保留復帰を促す動作について説明する。
【００７７】
まず、ステップＳ３０００では、ユーザ（メンバー）が、保留ボタン２１８を押下し、通信状態を保留状態にする。ＰＴＴ処理部２１２は、通信状態を保留状態にするとともに、保留状態になることをプレゼンス管理部３０８へと通知する。通知を受けたプレゼンス管理部３０８は、保留状態の通信端末装置２００ａへの音声送信を停止するようＳＩＰサーバ３０２へ指示するとともに、グループ内の他の通信端末装置２００ｂ、２００ｃへ保留状態になったことを通知する。通知された各通信端末装置２００ｂ、２００ｃでは、スピーカー２０８および表示部２１０によってユーザへグループ内の通信端末装置２００ａが保留状態になったことを報知する。
【００７８】
そして、ステップＳ３１００では、ユーザが、保留復帰条件設定部２２０を用いて保留復帰条件を設定する。保留復帰条件は、例えば、発言権の移動、所定のメンバーの通話時間長、所定のメンバーの保留状態への移動などのグループ内の状態変化や、当該通信端末装置２００ａの保留時間の長さなどの通信端末装置内の状態変化が挙げられる。設定された保留復帰条件は、保留復帰制御部２２２へと出力される。
【００７９】
そして、ステップＳ３２００では、保留復帰制御部２２２が、ステップＳ３１００で設定された保留復帰条件に、グループ通信の状態または通信端末装置２００ａの状態が一致するかどうかを判断する。もし、これらの状態が保留復帰条件に一致する場合は（Ｓ３２００：ＹＥＳ）、ステップＳ３３００へ進む。これらの状態が保留復帰条件に一致しなかった場合は（Ｓ３２００：ＮＯ）、これらの状態が保留復帰条件に一致するまでステップＳ３２００を繰り返す。
【００８０】
そして、ステップＳ３３００では、保留復帰制御部２２２が、保留状態から復帰することをユーザに促すように、スピーカー２０８および表示部２１０からユーザに報知する。
【００８１】
この構成によれば、通信不能状態になったメンバーが発生した場合に、その間の全員の通話を一時中断することができるのに加え、さらに、あるメンバーが保留状態になったときに、そのメンバーが保留状態からの復帰のきっかけを知ることができるようになる。
【００８２】
また、この構成によれば、通話が一時中断されたときに各メンバーは保留状態に入ることができるようになり、通話の再開をきっかけとして保留状態から復帰することができるようにもなる。
【００８３】
なお、本実施の形態では、実施の形態１のグループ通信システムを前提としていたが、本実施の形態に係る保留機能および保留復帰条件設定機能はこれに限定されない。すなわち、グループ通信システムは、通話中断制御機能を有することがなくても、保留機能および保留復帰条件設定機能を有することができる。
【００８４】
（実施の形態３）
実施の形態３は、実施の形態１のグループ通信システムにおいて、さらに、一の通信端末装置（例えば、通信端末装置２００ｂ）が保留状態の別の通信端末装置（例えば、通信端末装置２００ａ）に保留状態から復帰するように促す機能をさらに有する場合である。実施の形態２では、一の通信端末装置が当該通信端末装置自身の保留状態の復帰を促すが、実施の形態３では一の通信端末装置が別の通信端末装置に保留状態の復帰を促す。
【００８５】
図１０は、実施の形態３におけるグループ通信システム１００の通信端末装置２００の構成を示すブロック図である。また、説明の便宜上、図２の実施の形態１における通信端末装置２００の構成を示すブロック図に用いた符号を同様な要素に用いている。なお、実施の形態３のグループ通信システム１００において、通信端末装置２００、グループ通信制御装置３００およびＩＰネットワーク４００の関係は図１と同様である。
【００８６】
通信端末装置２００は、接続ボタン２０２と、ＰＴＴボタン２０４と、マイク２０６と、スピーカー２０８と、表示部２１０と、保留ボタン２１８と、保留状態確認部２２４と、保留復帰要請信号送信部２２６と、ＰＴＴ処理部２１２と、電話帳２１４と、無線送受信部２１６と、を備えている。保留ボタン２１８、保留状態確認部２２４および保留復帰要請信号送信部２２６以外のものは、実施の形態１と同様のものなのでここでは説明しない。
【００８７】
保留ボタン２１８は、ユーザ（メンバー）が押下することにより、通信端末装置２００が保留状態に入ることをＰＴＴ処理部２１２へ指示する。また、保留状態のときにユーザ（メンバー）が押下することにより、通信端末装置２００が保留状態から復帰することをＰＴＴ処理部２１２へ指示する。
【００８８】
保留状態確認部２２４は、ユーザが、他のメンバーが保留状態であるかどうかをグループ通信制御装置３００のプレゼンス管理部３０８に確認する。プレゼンス管理部３０８から通知された他の通信端末装置２００の通信状態（保留状態であるかどうか）の一覧は、表示部２１０へ出力される。
【００８９】
保留復帰要請信号送信部２２６は、保留状態の他のメンバー（の通信端末装置２００）が保留状態から復帰するように促す保留復帰要請信号をプレゼンス管理部３０８へ送信する。
【００９０】
グループ通信制御装置３００は、図３と同じなので図示しないが、ＳＩＰサーバ３０２と、ＰｏＣ機能部３０４と、グループリスト管理部３０６と、プレゼンス管理部３０８と、通話中断制御部３１０と、記憶部３１２と、を備えている。プレゼンス管理部３０８以外のものは、実施の形態１と同様のものなのでここでは説明しない。
【００９１】
プレゼンス管理部３０８は、実施の形態１のプレゼンス管理部３０８と同様に、グループ通信に参加しているメンバー（の通信端末装置２００）の通信状況を管理する。通信不能状態のメンバーを検出した場合は、通話中断制御部３１０へ通信不能状態のメンバーの情報を通知する。さらに、実施の形態３のプレゼンス管理部３０８は、一の通信端末装置（例えば、通信端末装置２００ｂ）の保留状態確認部２２４からグループ内の他の通信端末装置（例えば、通信端末装置２００ａ、２００ｃ）の通信状態（保留状態であるかどうか）について確認されたときに、各通信端末装置２００ａ、２００ｃの通信状態の一覧を通知する。また、一の通信端末装置２００ｂからの保留復帰要請信号を受信し、保留復帰要請信号の対象となる通信端末装置２００ａへ当該保留復帰要請信号を送信（転送）する。
【００９２】
次に、図１１のシーケンス図を用いて、実施の形態３におけるグループ通信システム１００内の保留復帰を促す動作について説明する。なお、通信端末装置２００ａ、２００ｂは、２台より多くてももちろん構わない。複数台が保留状態になった場合も、実施の形態３のグループ通信システムは基本的に同じように動作する。また、実施の形態３のグループ通信システム１００においても、グループ通信を一時中断および再開することができるが、実施の形態１と同様であるためここでは説明せず、実施の形態３における新規追加機能の、保留動作および保留復帰を促す動作について説明する。
【００９３】
通信端末装置２００ａ、２００ｂは、グループ通信制御装置３００のＳＩＰサーバ３０２とグループ通信を行うための呼制御を確立し、他の複数の通信端末装置２００ｂ、２００ａとグループ通信を行うことができるようになる。グループ通信に参加するメンバーは、通信端末装置２００ａ、２００ｂの電話帳２１４とグループ通信制御装置３００のグループリスト管理機能３０６の両方にあらかじめ登録されていなければならない。図１１では、ここまでの動作は図示しておらず、通話が開始した後の状態を図示している。なお、通信端末装置２００ａが保留状態に入っているものとして以下説明する。
【００９４】
グループ通信制御装置３００のプレゼンス管理部３０８は、定期的に通信端末装置２００ａ、２００ｂとの間で情報を交換し、通信端末装置２００ａ、２００ｂの通信状態を確認する（Ｓ４０００）。
【００９５】
通信可能状態の通信端末装置２００ａ、２００ｂは、プレゼンス管理部３０８からの通信状態の確認に対して応答し、通信状態を伝える（Ｓ４１００）。このとき、保留状態の通信端末装置２００ａは保留状態であることを伝えるので、プレゼンス管理部３０８は通信端末装置２００ａが保留状態であることを検出する。
【００９６】
通信可能な通信端末装置２００ｂは、保留状態確認部２２４を用いてグループ内の各メンバーの通信状態をグループ通信制御装置３００のプレゼンス管理部３０８へ確認する（Ｓ４２００）。
【００９７】
プレゼンス管理部３０８は、通信状態を確認してきた通信端末装置２００ｂへ、各メンバーの通信状態の一覧を通知する（Ｓ４３００）。図１１の場合は、通信端末装置２００ａが保留状態であることを通信端末装置２００ｂへ通知する。
【００９８】
通信状態の連絡を受けた通信端末装置２００ｂは、保留状態の通信端末装置２００ａの復帰を促したいときに、保留復帰要請信号をグループ通信制御装置３００のプレゼンス管理部３０８へと送信する（Ｓ４４００）。
【００９９】
保留復帰要請信号を受け取ったプレゼンス管理部３０８は、保留状態の通信端末装置２００ａへ保留復帰要請信号を送信（転送）する（Ｓ４５００）。保留復帰要請信号を受信した保留状態の通信端末装置２００ａは、保留復帰要請信号を受信したことをスピーカー２０８および表示部２１０でユーザに報知する。保留状態を解除するかどうかは、報知されたユーザの自由である。
【０１００】
保留復帰要請信号を受信し、保留状態の通信端末装置２００ａのユーザが保留状態を解除し、通話に復帰することを決定した場合、ユーザは保留ボタン２１８を押して保留状態を解除する。保留状態の解除に伴って、ＰＴＴ処理部２１２は、プレゼンス管理部３０８へ保留状態から復帰したことを連絡する（Ｓ４６００）。
【０１０１】
保留状態復帰の連絡を受信したプレゼンス管理部３０８は、グループ内の残りのメンバーに、今まで保留状態であった通信端末装置２００ａが保留状態から復帰したことを連絡する（Ｓ４７００）。
【０１０２】
以後、通常のグループ通信による通話が、全ての通信端末装置２００ａ、２００ｂによって行われる。
【０１０３】
この構成によれば、通信不能状態になったメンバーが発生した場合に、その間の全員の通話を一時中断することができるのに加え、さらに、あるメンバーが保留状態になったときに、他のメンバーが保留状態からの復帰のきっかけを与えることができるようになる。
【０１０４】
また、この構成によれば、通話が一時中断されたときに各メンバーは保留状態に入ることができるようになる。さらに通話が再開した後、通話中のメンバーが保留状態のメンバーに対して保留状態からの復帰を促すことで、保留状態のメンバーは保留状態から復帰するきっかけを得ることができるようにもなる。
【０１０５】
なお、本実施の形態では、実施の形態１のグループ通信システムを前提としていたが、本実施の形態に係る保留機能および保留復帰要請機能はこれに限定されない。すなわち、グループ通信システムは、通話中断制御機能を有することがなくても、保留機能および保留復帰要請機能を有することができる。
【産業上の利用可能性】
【０１０６】
本発明に係るグループ通信システムは、圏外などで通信不能状態になったメンバーが発生した場合、通話内容を記憶部で保存する時間と、全員の通話を中断する時間とに分けて制御を行うことができ、通話内容を聞き返すなどの無駄が発生しないので、グループ通信の状態管理および音声送受信切り替え方法として有用である。
【０１０７】
また、本発明に係るグループ通信用端末では、保留状態からの復帰のきっかけを促すことができるので、グループ通信用の通信端末装置の制御として有用である。
【図面の簡単な説明】
【０１０８】
【図１】本発明に係るグループ通信システムの構成を示す模式図
【図２】実施の形態１の通信端末装置の構成を示すブロック図
【図３】実施の形態１のグループ通信制御装置の構成を示すブロック図
【図４】実施の形態１の通話中断制御部の動作を示すフローチャート
【図５】実施の形態１のグループ通信システムの動作を示すシーケンス図
【図６】実施の形態１のグループ通信システムの動作を示す第二のシーケンス図
【図７】実施の形態１のグループ通信システムの動作を示す第三のシーケンス図
【図８】実施の形態２の通信端末装置の構成を示すブロック図
【図９】実施の形態２の通話中断制御部の動作を示すフローチャート
【図１０】実施の形態３の通信端末装置の構成を示すブロック図
【図１１】実施の形態３のグループ通信システムの動作を示すシーケンス図
【符号の説明】
【０１０９】
１００  グループ通信システム
２００、２００ａ、２００ｂ、２００ｃ  通信端末装置
２０２  接続ボタン
２０４  ＰＴＴボタン
２０６  マイク
２０８  スピーカー
２１０  表示部
２１２  ＰＴＴ処理部
２１４  電話帳
２１６  無線送受信部
２１８  保留ボタン
２２０  保留復帰条件設定部
２２２  保留復帰制御部
２２４  保留状態確認部
２２６  保留復帰要請信号送信部
３００  グループ通信制御装置
３０２  ＳＩＰサーバ
３０４  ＰｏＣ機能部
３０６  グループリスト管理部
３０８  プレゼンス管理部
３１０  通話中断制御部
３１２  記憶部
４００  ＩＰネットワーク
【図１】
2007110431.tif 000003
【図２】
2007110431.tif 000004
【図３】
2007110431.tif 000005
【図４】
2007110431.tif 000006
【図５】
2007110431.tif 000007
【図６】
2007110431.tif 000008
【図７】
2007110431.tif 000009
【図８】
2007110431.tif 000010
【図９】
2007110431.tif 000011
【図１０】
2007110431.tif 000012
【図１１】
2007110431.tif 000013